(57)【要約】【課題】  従来技術では、指先の筋力が弱い人、握力の弱い人は適正な強さで引っ張ったり、締め付け固定することが上手くできなかった。  さらに、サポーターは痛みのある人や、体の弱い人が使用するという特性上、伸縮自在なサポーターの両端部をつまみながら、また握りながら引っ張るという動作は、大変困難を伴うという問題がある。【解決手段】  ひざや腰、股関節などを固定したり、サポートするサポーターにおいて、伸縮自在な材料から形成された本体部２と、該本体部２の一端部には、雄型面ファスナー６を設け、本体部２の他端部または全部に雌型面ファスナー７を設け、さらに本体部２に設けた雄型面ファスナー６が設けられた一端部には少なくとも親指を除いた４指と手のひらが挿入できるポケット４を設けた伸縮自在なサポーター。【選択図】図２
2010158319.tif 000002
【特許請求の範囲】
【請求項１】
ひざや腰、股関節などを固定したり、サポートするサポーターにおいて、伸縮自在な材料から形成された本体部と、該本体部の一端部には、雄型面ファスナーを設け、本体部の他端部または全部に雌型面ファスナーを設け、さらに本体部に設けた雄型面ファスナーが設けられた一端部には少なくとも親指を除いた４指と手のひらが挿入できるポケットを設けたことを特徴とする伸縮自在なサポーター。
【請求項２】
前記ポケットは、底部に穴を開けて指先が突出できるようにしたことを特徴とする請求項１記載の伸縮自在なサポーター。
【請求項３】
ひざや腰、股関節などを固定したり、サポートするサポーターにおいて、伸縮自在な材料から形成された本体部と、該本体部の一端部には、雄型面ファスナーを設け、本体部の他端部または全部に雌型面ファスナーを設け、さらに本体部に設けた雄型面ファスナーが設けられた一端部には、少なくとも親指を除いた４指と手のひらが挿入できるポケットを設け、本体部の雌型面ファスナーに対して、反対側に相当する他端部に少なくとも親指を除いた４指と手のひらが挿入できるポケットを設けたことによりサポーター本体の両端部にポケットを有することを特徴とする伸縮自在なサポーター。
【請求項４】
前記両端部のポケットは、底部に穴を開けて指先が突出できるようにしたことを特徴とする請求項３に記載の伸縮自在なサポーター。
【請求項５】
ポケットは、手先が斜めから挿入できるように、開口部を斜めにしたポケット、またはポケット自体を斜めに設けたことを特徴とする請求項１〜請求項４のいずれか１項に記載の伸縮自在なサポーター。
【発明の詳細な説明】
【技術分野】
【０００１】
本発明はひざや腰、股関節などを締め付けて固定したり、サポートする伸縮性のベルトやコルセットを装着する際、指先の筋力が弱い人、握力の弱い人、指先に損傷がある人や、指に障害がある人等、指先で摘んで引っ張ることが困難な人でも適正な強さで引っ張ったり、締め付け固定することが上手く、極めて容易に行うことができるように、端部にポケットを設けた伸縮自在なサポーターに関するものである。
【背景技術】
【０００２】
従来技術としては、伸縮自在な材料から形成され、腰部の前面および側面に装着される上部ベルトと、伸縮自在な材料から形成され、骨盤部の前面および側面に装着される下部ベルトと、伸縮自在な材料から形成されるとともに、前記上部ベルトおよび前記下部ベルトに連結され、前記腰部および前記骨盤部の後面を覆うように設けられた中央部とを備え、前記中央部は、前記腰の屈曲方向に対して交差する方向に延びる複数のスリット状の切り込み部を含む、腰痛サポーター（例えば、特許文献１参照）が存在している。
【先行技術文献】
【特許文献】
【０００３】
【特許文献１】特開２００２−６５７１０号公報（特許請求の範囲の欄、発明の詳細な説明の欄、及び図１〜図９を参照）
【発明の概要】
【発明が解決しようとする課題】
【０００４】
しかしながら、前記従来技術である特開２００２−６５７１０号公報で示されている腰痛サポーターでは、指先の筋力が弱い人、握力の弱い人、指先に損傷がある人や、指に障害がある人等、指先で摘んで引っ張ることが困難な人は適正な強さで引っ張ったり、締め付け固定することが上手くできなかった。
特に、リウマチや病気をしている人、また老齢者等、指先の力が弱くなっている人は、サポーターの先端部に設けたマジック（登録商標）ファスナー部をつまみながら引っ張ることができず、サポーターを適正な強さで締め付け固定することができないという問題がある。
さらに、サポーターは痛みのある人や、体の弱い人が使用するという特性上、伸縮自在なサポーターの両端部をつまみながら、また握りながら引っ張るという動作は、大変困難を伴うという問題がある。
本発明は、これらの問題を解決したものであって、この発明は、伸縮自在なサポーターの両端部、または片方の端部に手先が入るポケット部を設け、このポケット部に少なくとも親指を除く４指と手のひらを入れることにより腕の力を応用できるので、より手先に力が入り、伸縮自在なサポーターを簡単に締め付け固定させることができる伸縮自在なサポーターを提供するものである。
【課題を解決するための手段】
【０００５】
上記の目的を達成することができる本発明の第１発明は、請求項１に記載された通りの伸縮自在なサポーターであり、次のようなものである。
ひざや腰、股関節などを固定したり、サポートするサポーターにおいて、伸縮自在な材料から形成された本体部と、該本体部の一端部には、雄型面ファスナーを設け、本体部の他端部または全部に雌型面ファスナーを設け、さらに本体部に設けた雄型面ファスナーが設けられた一端部には少なくとも親指を除いた４指と手のひらが挿入できるポケットを設ける構成である。
【０００６】
上記の目的を達成することができる本発明の第２発明は、請求項２に記載された通りの伸縮自在なサポーターであり、次のようなものである。
請求項１に記載された発明に加えて、前記ポケットは、底部に穴を開けて指先が突出できるようにする構成である。
【０００７】
上記の目的を達成することができる本発明の第３発明は、請求項３に記載された通りの伸縮自在なサポーターであり、次のようなものである。
ひざや腰、股関節などを固定したり、サポートするサポーターにおいて、伸縮自在な材料から形成された本体部と、該本体部の一端部には、雄型面ファスナーを設け、本体部の他端部または全部に雌型面ファスナーを設け、さらに本体部に設けた雄型面ファスナーが設けられた一端部には、少なくとも親指を除いた４指と手のひらが挿入できるポケットを設け、本体部の雌型面ファスナーに対して、反対側に相当する他端部に少なくとも親指を除いた４指と手のひらが挿入できるポケットを設けたことによりサポーター本体の両端部にポケットを有する構成である。
【０００８】
上記の目的を達成することができる本発明の第４発明は、請求項４に記載された通りの伸縮自在なサポーターであり、次のようなものである。
請求項３に記載された発明に加えて、前記両端部のポケットは、底部に穴を開けて指先が突出できるようにする構成である。
【０００９】
上記の目的を達成することができる本発明の第５発明は、請求項５に記載された通りの伸縮自在なサポーターであり、次のようなものである。
請求項１〜請求項４に記載された発明のポケットを手先が斜めから挿入できるように、開口部を斜めにしたポケット、またはポケット自体を斜めに設ける構成である。
【発明の効果】
【００１０】
本発明に係る伸縮自在なサポーターは、上記説明のような構成を有するので、以下に記載する効果を奏する。
（１）つまむ力や、握る力が弱い人でもサポーターの端部に設けたポケット部に手先を挿入して引っ張ることができるので、腕の力を応用でき、より手先に力が入り、サポーターを簡単に引っ張り固定することができる。
（２）両端部にポケット部を設けたサポーターの場合は、特に雌・雄型面ファスナーを引き寄せて固定する時に、ファスナーの固定部に手先が関係しない状態でポケット部に手先を入れて行うことができるので、サポーターが簡単に締め付け固定することができる。
【図面の簡単な説明】
【００１１】
【図１】本発明の一端にポケットを設けた伸縮自在なサポーターの一例を示す概略平面図である。
【図２】本発明の一端にポケットを設けた伸縮自在なサポーターの一例を示す概略斜視図である。
【図３】本発明の一端部に設けたポケットに手先を挿入して伸縮自在のサポーターを腰部に装着する状態を示す概略説明図である。
【図４】本発明の一端部に設けた穴あきのポケットに手先を挿入して伸縮自在なサポーターを腰部に装着する状態を示す概略説明図である。
【図５】本発明の両端にポケットを設けた伸縮自在なサポーターの一例を示す概略平面図である。
【図６】本発明の他の実施例である両端にポケットを設けた伸縮自在なサポーターを示す概略斜視図である。
【図７】本発明の他の実施例である両端にポケットを設けた伸縮自在なサポーターを腰部に装着する状態を示す概略説明図である。
【発明を実施するための形態】
【００１２】
ひざや腰、股関節などを固定したり、サポートするサポーターにおいて、伸縮自在な材料から形成された本体部と、該本体部の一端部には、雄型面ファスナーを設け、本体部の他端部または全部に雌型面ファスナーを設け、さらに本体部に設けた雄型面ファスナーが設けられた一端部には少なくとも親指を除いた４指と手のひらが挿入できるポケットを設けた伸縮自在なサポーターである。
【実施例】
【００１３】
以下、本発明の一実施例を添付図面で詳細に説明する。
図１は、本発明の一端にポケットを設けた伸縮自在なサポーターの一例を示す概略平面図、図２は、本発明の一端にポケットを設けた伸縮自在なサポーターの一例を示す概略斜視図、図３は、本発明の一端部に設けたポケットに手先を挿入して伸縮自在のサポーターを腰部に装着する状態を示す概略説明図、図４は、本発明の一端部に設けた穴あきのポケットに手先を挿入して伸縮自在なサポーターを腰部に装着する状態を示す概略説明図、図５は、本発明の他の実施例で、両端にポケットを設けた伸縮自在なサポーターの一例を示す概略平面図、図６は、両端にポケットを設けた伸縮自在なサポーターを示す概略斜視図、図７は、両端にポケットを設けた伸縮自在なサポーターを腰部に装着する状態を示す概略説明図である。
【００１４】
ここで、図１〜図３に示すように、先ず一端部にポケットを設けた実施例について説明する。
ひざや、腰、股関節などを固定したり、サポートする伸縮性のベルトやコルセットで、一例としてベルト状のサポーターについて説明する。
伸縮自在なサポーター１で、本体部２の一端部にポケット４と雄型面ファスナー６と、前記本体部２の他端部には、一部あるいは全部に雌型面ファスナー７を設けたものである。
【００１５】
その具体的な一例として図面に基づいて説明する。
人体の腰部の周りに装着する一端にポケットを有する伸縮自在なサポーター１で、本体部２と本体表面側３の一端部にポケット４と、本体裏面側５に雄型面ファスナー６と、前記本体部２の表面側３には他端部、または全部に雌型面ファスナー７を設けたものである。
本体部２は、全体が厚地の通気性に富む弾性編地により形成されている。締め付け固定する取付部は、伸縮自在なサポーター本体裏面側５の一端部に雄型面ファスナー６を設け、この雄型面ファスナー６に対向する位置、すなわち伸縮自在なサポーター１の裏面側３には、ポケット４が設けられている。そして、取付部に相当する伸縮自在なサポーター１の両端部を引き寄せながら前記雄型面ファスナー６とサポーター本体部２の裏面側３に設けた雌型面ファスナー７を互いに係止することで伸縮自在なサポーターを腰部等に締め付け固定することができるものである。
この際、指先の筋力が弱い人、握力の弱い人など、適正な強さで引っ張ったり、締め付け固定することが上手くできない人であっても、ポケット４に手先を挿入して引き寄せることで、手先だけでなく腕の力も応用でき、簡単に引っ張り締め付け固定することができるものである。
この伸縮自在なサポーターの締め付け固定して腰部に装着する状態を図３に示している。
なお、図４はポケット４の形状が相違するだけで、指先が突出できるように穴が開いているポケット４に相当するものを示した伸縮自在なサポーターで、この伸縮自在なサポーターを腰部に締め付け装着する状態を示したものである。
【００１６】
次に、図５〜図７に基づいて、伸縮自在なサポーターの両端にポケットを設けた他の実施例について説明する。
両端にポケットを設けた実施例としては、ひざや腰、股関節などを固定したり、サポートするサポーターにおいて、伸縮自在な材料から形成された本体部２と、該本体部２の裏面側５一端部には、雄型面ファスナー６を設け、本体部２の表面側３には、他端部または全部に雌型面ファスナー７を設け、さらに本体部２の裏面側５に設けた雄型面ファスナー６が設けられた一端部の表面側３に、少なくとも親指を除いた４指と手のひらが挿入できるポケット４を設け、本体部２の表面側３に設けられた雌型面ファスナー６に対して、反対側（裏面側５）に相当する他端部に少なくとも親指を除いた４指と手のひらが挿入できるポケット４を設けたことによりサポーター本体の両端部にポケット４を有するものであり、基本的な技術的思想は同一で、ポケット４を伸縮自在なサポーターの両端に設けたことで、よりサポーターの締め付け固定操作が簡単にできるようにしたものである。
その他については、先述した一端部にポケット４を設けたものと同じなので詳細な説明は省略する。
【００１７】
なお、上記実施例では、図７のように、指がポケット４から突き出ないものを示したが、ポケット４から指が突き出るタイプや、２本指から５本指に仕切られたポケット４のタイプにすることができることはいうまでもないものである。
また、ポケット４は手先が挿入できるような形状であれば、種々なものを採用することができることはいうまでもないものである。
【００１８】
また、ポケットの取り付け位置は左右端部において、角度を異ならせることも可能である。例えば、右端部は側部から手先が挿入できるように、ポケット開口部を右側部に設け、左端部は上部から手先が挿入できるようにポケット開口部を上部に設ける。
さらに、開口部を斜めに設け、手先を斜め上方から挿入できるようにすることも可能である。
また、ポケットの取り付ける位置は、本体部の表裏どちらでも関係なく選択して形成することも可能である。
さらに、雄型面ファスナー６、雌型面ファスナー７は、本体部２全体に形成しても部分的に形成しても良いことはいうまでもない。
【００１９】
なお、伸縮自在なサポーターの本体部１の表裏面の間にクッション性のある、例えばスポンジ状のシート部材を介することも考えられる。
また、着用者の体格によって、その幅、長さを変更することができるのはもちろんであり、雌型面ファスナー７を本体部表面側全体に設けることで、体格に合わせて長さ調整は特に行う必要がないので、汎用性が高くなるものである。
【産業上の利用可能性】
【００２０】
伸縮自在のベルトやコルセットを適正な強さで引っ張ることによって身体の一部に装着するサポーターであれば全てのものに利用することができる。
【符号の説明】
【００２１】
１・・・・一端にポケットを有する伸縮自在なサポーター
２・・・・本体部
３・・・・本体表面側
４・・・・ポケット
５・・・・本体裏面側
６・・・・雄型面ファスナー
７・・・・雌型面ファスナー
【図１】
2010158319.tif 000003
【図２】
2010158319.tif 000004
【図３】
2010158319.tif 000005
【図４】
2010158319.tif 000006
【図５】
2010158319.tif 000007
【図６】
2010158319.tif 000008
【図７】
2010158319.tif 000009